(57)【要約】【課題】エレベーター乗りかご用ＬＥＤ実演機において、乗りかご用照明にＬＥＤを導入検討する検討者がその導入の前にＬＥＤによるかご室内の印象の変化を容易に確認可能とすることである。【解決手段】ＬＥＤ実演機１０は、円環状の発光支持部と、発光支持部に対し周方向の複数位置に配置された発光部とを含む発光装置１１と、発光装置１１に対し発光部に電力を供給するために接続され、発光装置１１と反対側端に電源プラグ２１が接続されたケーブル２０と、ケーブル２０の中間部またはケーブルの端部に接続された電源スイッチ３０とを含む。【選択図】図１
2018181727.tif 000002
【特許請求の範囲】
【請求項１】
乗りかごの天井部に配置され前記乗りかご内の照明状態を確認するためのエレベーター乗りかご用ＬＥＤ実演機であって、
円環状の発光支持部と、前記発光支持部に対し周方向の複数位置に配置された発光部とを含む発光装置と、前記発光装置に対し前記発光部に電力を供給するために接続され、前記発光装置と反対側端に電源プラグが接続されたケーブルと、前記ケーブルの中間部または前記ケーブルの端部に接続された電源スイッチとを備えるエレベーター乗りかご用ＬＥＤ実演機。
【請求項２】
請求項１に記載のエレベーター乗りかご用ＬＥＤ実演機において、
前記発光支持部に取り付けられた照度計と、
前記照度計の計測結果に応じて前記発光部の点灯状態を変化させる点灯制御部とを備える、エレベーター乗りかご用ＬＥＤ実演機。
【請求項３】
請求項１または請求項２に記載のエレベーター乗りかご用ＬＥＤ実演機において、
前記発光装置で消費される電力を計測する電力計と、
前記電力計の計測結果を表示する表示部とを備える、エレベーター乗りかご用ＬＥＤ実演機。
【請求項４】
遠隔操作部と、請求項１から請求項３のいずれか１に記載のエレベーター乗りかご用ＬＥＤ実演機とを備えるエレベーター乗りかご用ＬＥＤ実演システムであって、
前記遠隔操作部は、操作者に操作される操作部と、前記操作部の操作に応じた電源のオンオフ指示を表す無線信号を送信する送信部とを含み、
前記ＬＥＤ実演機は、前記オンオフ指示を表す無線信号を受信する受信部と、前記受信部で受信された前記オンオフ指示に応じて前記電源スイッチを制御するスイッチ制御部とを含む、エレベーター乗りかご用ＬＥＤ実演システム。
【請求項５】
請求項１に記載のエレベーター乗りかご用ＬＥＤ実演機を用いて行うエレベーター乗りかご用照明比較方法であって、
前記天井部に取り付けられた２つの円環状蛍光灯のうち、１つの前記円環状蛍光灯を、前記天井部に取り付けられた照明支持部から取り外すステップと、
前記照明支持部に前記ＬＥＤ実演機を取り付けるステップと、
前記乗りかごのかご室に乗った操作者によって前記電源スイッチのオンオフを切り換えるとともに、前記２つの円環状蛍光灯のうち、残りの前記円環状蛍光灯の電源のオンオフを乗りかご制御盤に配置された蛍光灯スイッチにより切り換えることにより、前記円環状蛍光灯と前記ＬＥＤ実演機とを交互に点灯させて照明比較を行うステップとを含む、エレベーター乗りかご用照明比較方法。
【発明の詳細な説明】
【技術分野】
【０００１】
本発明は、エレベーター乗りかご用ＬＥＤ実演機、ＬＥＤ実演システム及び照明比較方法に関する。
【背景技術】
【０００２】
従来からエレベーターの乗りかごの天井部には、乗りかご内を照明する円環型または直管型の蛍光灯が配置される。近年、乗りかご内の明るさを高くしたり、長寿命化、省電力化等のために乗りかごの天井部にＬＥＤ（発光ダイオード）を配置することが考えられている。
【０００３】
特許文献１には、乗りかごのかご天板の下側に白色ＬＥＤを配置し、遮蔽板に形成されたスリットを通じて白色ＬＥＤの光をかご室内に照射させる構成が記載されている。
【０００４】
特許文献２には、乗りかごの天井部の下面に取り付けられた複数の直線状のソケット台に複数のＬＥＤを装着し、隣り合うソケット台でＬＥＤが異なる発光色を有する構成が記載されている。特許文献２には、同じソケット台で異なる発光色のＬＥＤが配置されてもよいことも記載されている。
【０００５】
特許文献３には、乗りかごの天井部に取り付けられた補強板の下側にプリント基板を取り付けて、その基板の縦横方向に複数の白色ＬＥＤを並んで配置する構成が記載されている。白色ＬＥＤの光は透明または半透明の保護板で拡散させる。複数の白色ＬＥＤには、整流回路を介して商用電源が接続される。
【先行技術文献】
【特許文献】
【０００６】
【特許文献１】特開２０１４−２１１９６８号公報
【特許文献２】特開２００７−５０５０２１号公報
【特許文献３】特開２００４−３３８８２５号公報
【発明の概要】
【発明が解決しようとする課題】
【０００７】
乗りかご内に円環型の蛍光灯が配置されている場合に、その蛍光灯をＬＥＤに交換することによってＬＥＤを導入することがエレベーターの所有者等により検討される場合がある。しかしながら、ＬＥＤを購入し蛍光灯に代えて実際にＬＥＤを導入した後でないと、ＬＥＤを導入した場合におけるかご室内の印象の変化を確認することは困難である。
【０００８】
本発明に係るエレベーター乗りかご用ＬＥＤ実演機、ＬＥＤ実演システム、及び照明比較方法の目的は、乗りかご用照明にＬＥＤを導入検討する検討者がその導入の前にＬＥＤによるかご室内の印象の変化を容易に確認可能とすることである。
【課題を解決するための手段】
【０００９】
本発明に係るエレベーター乗りかご用ＬＥＤ実演機は、乗りかごの天井部に配置され前記乗りかご内の照明状態を確認するためのエレベーター乗りかご用ＬＥＤ実演機であって、円環状の発光支持部と、前記発光支持部に対し周方向の複数位置に配置された発光部とを含む発光装置と、前記発光装置に対し前記発光部に電力を供給するために接続され、前記発光装置と反対側端に電源プラグが接続されたケーブルと、前記ケーブルの中間部または前記ケーブルの端部に接続された電源スイッチとを備えるエレベーター乗りかご用ＬＥＤ実演機である。
【００１０】
本発明に係るエレベーター乗りかご用ＬＥＤ実演システムは、遠隔操作部と、本発明に係るエレベーター乗りかご用ＬＥＤ実演機とを備えるエレベーター乗りかご用ＬＥＤ実演システムであって、前記遠隔操作部は、操作者に操作される操作部と、前記操作部の操作に応じた電源のオンオフ指示を表す無線信号を送信する送信部とを含み、前記ＬＥＤ実演機は、前記オンオフ指示を表す無線信号を受信する受信部と、前記受信部で受信された前記オンオフ指示に応じて前記電源スイッチを制御するスイッチ制御部とを含む、エレベーター乗りかご用ＬＥＤ実演システムである。
【００１１】
本発明に係るエレベーター乗りかご用照明比較方法は、本発明に係るエレベーター乗りかご用ＬＥＤ実演機を用いて行うエレベーター乗りかご用照明比較方法であって、前記天井部に取り付けられた２つの円環状蛍光灯のうち、１つの前記円環状蛍光灯を、前記天井部に取り付けられた照明支持部から取り外すステップと、前記照明支持部に前記ＬＥＤ実演機を取り付けるステップと、前記乗りかごのかご室に乗った操作者によって前記電源スイッチのオンオフを切り換えるとともに、前記２つの円環状蛍光灯のうち、残りの前記円環状蛍光灯の電源のオンオフを乗りかご制御盤に配置された蛍光灯スイッチにより切り換えることにより、前記円環状蛍光灯と前記ＬＥＤ実演機とを交互に点灯させて照明比較を行うステップとを含む、エレベーター乗りかご用照明比較方法である。
【発明の効果】
【００１２】
本発明に係るエレベーター乗りかご用ＬＥＤ実演機、ＬＥＤ実演システム、及び照明比較方法によれば、乗りかご用照明にＬＥＤを導入検討する検討者がその導入の前にＬＥＤによるかご室内の印象の変化を容易に確認可能となる。
【図面の簡単な説明】
【００１３】
【図１】本発明に係る実施形態のエレベーター乗りかご用ＬＥＤ実演機の取付前の乗りかごの透視斜視図（ａ）と、エレベーター乗りかご用ＬＥＤ実演機の取付後の乗りかごの透視斜視図（ｂ）である。
【図２】図１（ｂ）からエレベーター乗りかご用ＬＥＤ実演機を取り出して、発光装置を下から見た図である。
【図３】本発明に係る実施形態のエレベーター乗りかご用照明比較方法を示すフローチャートである。
【図４Ａ】実施形態の別例のエレベーター乗りかご用ＬＥＤ実演機を含むエレベーター乗りかご用ＬＥＤ実演システムを含む乗りかごの透視斜視図である。
【図４Ｂ】図４Ａに示すエレベーター乗りかご用ＬＥＤ実演システムの構成図である。
【図５】実施形態の別例のエレベーター乗りかご用ＬＥＤ実演機を配置した天井部を示す透視斜視図である。
【図６】図５に示すエレベーター乗りかご用ＬＥＤ実演機の構成図である。
【図７】実施形態の別例のエレベーター乗りかご用ＬＥＤ実演機を示す斜視図である。
【発明を実施するための形態】
【００１４】
以下、図面を用いて本発明の実施形態を説明する。以下ではすべての図面において同等の要素には同一の符号を付して説明する。
【００１５】
図１は、実施形態のエレベーター乗りかご用ＬＥＤ実演機１０の取付前の乗りかご５０の透視斜視図（ａ）と、エレベーター乗りかご用ＬＥＤ実演機１０の取付後の乗りかご５０の透視斜視図（ｂ）である。図２は、図１（ｂ）からエレベーター乗りかご用ＬＥＤ実演機１０を取り出して、発光装置を下から見た図である。まず、エレベーター乗りかご用ＬＥＤ実演機１０が取り付けられる乗りかご５０を含むエレベーターを説明する。以下では、エレベーター乗りかご用ＬＥＤ実演機は、ＬＥＤ実演機と記載する。
【００１６】
エレベーターは、建物の昇降路（図示せず）内に昇降可能に配置された乗りかご５０と、エレベーター駆動装置（図示せず）とを備える。乗りかご５０は、ロープ（図示せず）を介してつり合い重り（図示せず）に連結される。エレベーター駆動装置は、建物の機械室に配置され、巻き上げ機を有する。ロープは、巻き上げ機に巻きかけられる。巻き上げ機の駆動はエレベーター制御盤によって制御される。乗りかご５０は、巻き上げ機の駆動によって昇降路内で昇降する。乗りかご５０には、乗りかご制御盤（図示せず）が配置され、その乗りかご制御盤がエレベーター制御盤に対し、テールコード（図示せず）が含む信号線を介して、信号の送受信可能に接続される。また、乗りかご５０の天井部５１の上側には、商用電源のコネクタ５２が取り付けられる。そのコネクタ５２には、乗りかご制御盤と、テールコードが含む電力線とを介して、エレベーター制御盤から電力が供給される。
【００１７】
既存のエレベーターでは、図１（ａ）に示すように、乗りかご５０の天井部５１において、２つの円環状蛍光灯５３が、天井部５１に取り付けられた照明支持部（図示せず）に着脱可能に支持される。
【００１８】
実施形態のＬＥＤ実演機１０は、１つの円環状蛍光灯５３の代わりに試験的に天井部５１に配置されるものであり、乗りかご用照明にＬＥＤの導入を検討する検討者がその導入の前に、乗りかご５０のかご室５４内の照明状態を確認するために用いられる。その照明状態の確認によって、検討者がかご室５４内の印象の変化を確認可能となる。
【００１９】
図２に示すように、ＬＥＤ実演機１０は、発光装置１１と、ケーブル２０と、電源スイッチ３０とを備える。発光装置１１は、円環状の発光支持部１２と、発光支持部１２に対し周方向の複数位置に配置された発光部としての発光モジュール１３とを含んで構成される。発光モジュール１３は、ＬＥＤ基板１４と、ＬＥＤ基板１４において直線方向または円弧方向に並んで配置されたＬＥＤ素子１５と、複数のＬＥＤ素子１５を覆うようにＬＥＤ基板１４の天井部への取付状態で下側となる片側に取り付けられたカバー１６とを有する。カバー１６は、樹脂またはガラスにより、透明または半透明に形成される。図２では砂地によって、カバー１６を示している。ＬＥＤ基板１４は、下側（図２の紙面の表側）から見た形状がカバー１６と同様である。複数の発光モジュール１３は、発光支持部１２の周方向に並んで固定され、複数のＬＥＤ素子１５は、電気的に直列に接続される。なお、各発光モジュール１３の複数のＬＥＤ素子１５が電気的に直列に接続され、複数の発光モジュール１３が電気的に並列に接続されてもよい。
【００２０】
このような発光装置１１は、天井部５１に固定された照明支持部に取り付けられる。例えば照明支持部は、円環状蛍光灯５３を保持するための保持部としての爪部（図示せず）を有し、その爪部が発光支持部１２の内周面の周方向複数位置に形成された切欠１２ａに係止されることで、発光装置１１が照明支持部に取り付けられてもよい。
【００２１】
ケーブル２０は、発光装置１１に対し発光モジュール１３の各ＬＥＤ素子１５に電力を供給するために一端が接続され、発光装置１１と反対側端である他端に電源プラグ２１が接続される。電源スイッチ３０は、例えばブレーカーまたはオンオフを切り換えるためのオンオフスイッチであり、ケーブル２０の中間部において、発光装置１１と電源プラグ２１との間に接続される。図２では電源スイッチ３０が電源回路（図示せず）を有し、その電源回路が、電源プラグ２１から供給された交流電圧を直流電圧に変換し、その直流電圧がケーブル２０を介して発光装置１１に供給される場合を示している。電源スイッチ３０がオンされることで直流電圧が発光装置１１に供給され、発光装置１１の各発光モジュール１３が発光し、その光が天井部の下側に配置され光透過性を有する照明板５５を通して、乗りかごの下側のかご室５４を照射する。照明板５５は、アクリル樹脂等の樹脂製、またはガラス製である。電源スイッチ３０がオフされることによって発光装置１１への電力供給が停止され、各発光モジュール１３が消灯する。
【００２２】
上記のＬＥＤ実演機１０は、以下の乗りかご用照明比較方法により、乗りかご５０の天井部５１に取り付けられ、かつ、円環状蛍光灯５３との間でかご室５４内での照明比較が行われる。図３は、実施形態のエレベーター乗りかご用照明比較方法を示すフローチャートである。具体的には、乗りかご用照明比較方法は、蛍光灯取り外しステップ、ＬＥＤ実演機取付ステップ、及び照明比較ステップを含む。
【００２３】
図３のＳ１０に示す蛍光灯取り外しステップは、図１（ａ）に示すように天井部５１に取り付けられた２つの円環状蛍光灯５３がある場合に、電源スイッチ３０の操作者等の作業者が、天井部に取り付けられた照明支持部から１つの円環状蛍光灯５３を取り外す。
【００２４】
図３のＳ１２に示すＬＥＤ実演機取付ステップは、図１（ｂ）に示すように、円環状蛍光灯が取り外された照明支持部に、作業者が上記のＬＥＤ実演機１０を取り付ける。このとき、電源プラグ２１は、乗りかご５０の天井部５１上側のコネクタ５２に接続する。そして、発光装置１１に接続されたケーブル２０の中間部で電源スイッチ３０を含む部分を、天井部５１の下側に配置された照明板５５または照明板の近くに配置される板部とその取付部との隙間を通じてかご室５４側に垂らす。
【００２５】
図３のＳ１４に示す照明比較ステップは、ＬＥＤ実演機取付ステップ後に、電源スイッチ３０の操作者とともにＬＥＤの導入を検討する検討者が乗りかごのかご室５４に乗った状態で、操作者によって電源スイッチ３０のオンオフを切り換える。これとともに、乗りかご制御盤に配置された電源スイッチ（図示せず）を用いて、操作者が２つの円環状蛍光灯のうち、残りの円環状蛍光灯５３の電源のオンオフを切り換える。これにより、円環状蛍光灯５３とＬＥＤ実演機１０とを交互に点灯させて、上記の検討者が照明状態の照明比較を行う。このとき、円環状蛍光灯５３のみが点灯した状態と、ＬＥＤ実演機１０のみが点灯した状態とが交互に実現される。
【００２６】
上記のＬＥＤ実演機１０及び照明比較方法によれば、乗りかご用照明にＬＥＤを導入検討する検討者がその導入の前に、ＬＥＤによるかご室５４内の印象の変化を容易に確認可能となる。これにより、ＬＥＤ実演機１０と同様の発光装置１１を有する構造を天井部５１に取り付けた場合に、ＬＥＤ実演機１０を用いて確認した印象から大きく印象が変わることがないので、検討者のＬＥＤ導入に対する不安感を抑制できる。例えば、同じＬＥＤ実演機１０でも、ＬＥＤ実演機１０が取り付けられた乗りかごにおけるＬＥＤ実演機１０と照明板５５との距離の違いによって、かご室５４内の照明の印象が大きく変わる可能性がある。本実施形態によればＬＥＤ導入前に乗りかごにＬＥＤを取り付けた場合における印象を容易に確認できる。なお、電源スイッチ３０の操作者は、ＬＥＤ導入を検討する検討者であってもよい。また、上記のＬＥＤ実演機１０によれば、構造が比較的単純であるので安価に実現できる。
【００２７】
図２に示した発光装置１１では、複数の発光モジュール１３が配置された場合を説明したが、発光装置１１の形状は図２の形状に限定するものではない。例えば、複数の発光部としてのＬＥＤ素子が円環状の発光支持部の片側に配置され、複数のＬＥＤ素子の全体を覆うように円形の透明または半透明のカバーが発光支持部に取り付けられてもよい。
【００２８】
図４Ａは、実施形態の別例のＬＥＤ実演機１０ａを含むＬＥＤ実演システム４０を含む乗りかご５０の透視斜視図である。図４Ｂは、ＬＥＤ実演システム４０の構成図である。
【００２９】
ＬＥＤ実演システム４０は、遠隔操作部４１と、ＬＥＤ実演機１０ａとを備える。遠隔操作部４１は、図４Ａに示すように、乗りかごのかご室５４に乗った操作者６０により操作される。遠隔操作部４１は、操作者６０に操作される操作部４２と、無線送信部４３とを含む。操作部４２は、例えばオンオフスイッチである。無線送信部４３は、送信アンテナ４４を有し、操作部４２の操作に応じた電源のオンオフ指示を表す無線信号を、送信アンテナ４４を介して後述のＬＥＤ実演機１０ａの無線受信部３１に向けて電波信号として送信する。なお、無線信号は、電波信号以外に、赤外線信号、または可視光信号としてもよい。
【００３０】
ＬＥＤ実演機１０ａは、発光装置１１と、無線受信部３１と、電源スイッチ３２と、スイッチ制御部３３とを含んで構成される。無線受信部３１は、受信アンテナ３４を有し、遠隔操作部４１から電源のオンオフ指示を表す無線信号を受信アンテナ３４を介して受信する。電源スイッチ３２は、リレースイッチ等の電気的スイッチであり、オンオフが制御される。電源スイッチ３２のオンにより、電源プラグ２１（図２参照）と発光装置１１とが電気的に接続される。図４Ａに示す構成では、電源スイッチ３２は、ケーブル２０ａの発光装置１１側の端部に接続される。電源スイッチ３２は、ケーブルの中間部に接続されてもよい。電源スイッチ３２のオフにより、電源プラグ２１と発光装置１１との電気的接続が遮断される。スイッチ制御部３３は、無線受信部３１で受信されたオンオフ指示に応じて電源スイッチ３２を制御する。例えば、スイッチ制御部３３は、電源スイッチ３２がリレースイッチである場合に、そのコイルへの通電と通電停止とを切り換える回路を有する。
【００３１】
上記のＬＥＤ実演システム４０によれば、図１（ｂ）に示した構成の場合と異なり、発光装置１１に接続されたケーブルの中間部をかご室５４側に垂らす必要がない。操作者６０が遠隔操作部４１を持って、操作部４２を操作することでＬＥＤ実演機１０の電源スイッチ３２のオンオフを切り換えることができる。その他の構成及び作用は、図１から図３に示した構成と同様である。
【００３２】
図５は、実施形態の別例のＬＥＤ実演機１０ｂを配置した天井部５１を示す透視斜視図である。図６は、ＬＥＤ実演機１０ｂの構成図である。
【００３３】
図５、図６に示すＬＥＤ実演機１０ｂは、発光支持部に取り付けられた照度計３５、電源プラグ２１、電源スイッチ３０、判定切り換えスイッチ３６、点灯制御部３７、及び発光装置１１を含んで構成される。ＬＥＤ実演機１０ｂが天井部５１に取り付けられた状態で、照度計３５は乗りかごのかご室の下側に向けられる。これにより、照度計３５は、天井部５１から照射され、かご室の床面で反射した光の反射による照度を測定する。照度計３５には、ＬＥＤ実演機１０ｂの電源スイッチがオフの状態でも、電源プラグ２１側から電力が供給されるように構成される。照度計３５は、電源プラグ２１側から電力を供給せず、乾電池等の別の電源から電力が供給されてもよい。図５では、天井部５１にＬＥＤ実演機１０ｂのみが配置される図としているが、実際には、天井部５１においてＬＥＤ実演機１０ｂに隣り合って円環状蛍光灯５３（図１参照）が配置される。
【００３４】
判定切り換えスイッチ３６は、電源スイッチ３０と、点灯制御部３７との間に接続される。判定切り換えスイッチ３６は、電源スイッチ３０側から電力が供給された状態で、照度比較オフモード、ＬＥＤ照度判定モード、蛍光灯照度判定モード、及び照度比較モードに切り替え可能な操作部（図示せず）を有する。「照度比較オフモード」では、照度比較判定は行われず、電源スイッチ３０のオンにより発光装置１１の発光部である発光モジュール１３が通常状態で点灯する。「ＬＥＤ照度判定モード」では、発光モジュール１３に電力が供給されて発光モジュール１３が点灯し、この状態で照度計３５による計測が行われ、その計測結果が後述の点灯制御部３７で記憶される。「蛍光灯照度判定モード」では、発光モジュール１３に電力が供給されず発光モジュール１３が消灯する。このとき、操作者が円環状蛍光灯５３の電源スイッチをオンすることにより、円環状蛍光灯５３のみが点灯する状態が実現される。この状態で照度計３５による計測が行われ、その計測結果が点灯制御部３７で記憶される。「照度比較モード」では、点灯制御部３７において、ＬＥＤ照度判定モード及び蛍光灯照度判定モードそれぞれでの照度の計測結果の比較が行われる。「照度比較モード」では、その比較の結果に応じて発光モジュール１３の点灯状態が変化する。
【００３５】
点灯制御部３７は、照度計３５の計測結果に応じて発光モジュール１３の点灯状態を変化させる。具体的には、点灯制御部３７は、判定切り換えスイッチ３６が照度比較モードである場合に、ＬＥＤ照度判定モード及び蛍光灯照度判定モードそれぞれでの照度の計測結果を比較する。そして、例えば、点灯制御部３７には、ＬＥＤの照度計測結果が蛍光灯の照度計測結果より高い場合には、例えば発光モジュール１３を点滅させ、ＬＥＤの照度計測結果が蛍光灯の照度計測結果以下の場合には、例えば発光モジュール１３を消灯させる。このとき、点滅と消灯とを逆にしてもよい。また、ＬＥＤの照度計測結果が蛍光灯の照度計測結果より高いか、ＬＥＤの照度計測結果が蛍光灯の照度計測結果以下かに応じて、発光モジュール１３の点滅と点灯とを切り換えるようにしてもよい。
【００３６】
図５、図６の構成によれば、ＬＥＤ実演機１０ｂの点灯状態により、検討者に対し、ＬＥＤ実演機１０ｂと蛍光灯との照度の比較結果を容易に認識させることができる。その他の構成及び作用は、図１から図３に示した構成と同様である。図５、図６の構成を図４Ａ、図４Ｂの構成と組み合わせることもできる。
【００３７】
図７は、実施形態の別例のＬＥＤ実演機１０ｃを示す斜視図である。図７の構成の場合には、ＬＥＤ実演機１０ｃは、発光装置１１で消費される電力を計測する電力計（図示せず）と、電力計の計測結果を表示する表示部３８とを備える。表示部３８は、例えば電源スイッチ３０が配置されるケース３９に一体に形成されるディスプレイ等である。表示部３８は、数値、または棒グラフ状の表示等で計測結果を表示させることができる。電力計は、例えばこのケース３９に一体に配置したり、発光装置１１の発光支持部に配置することができる。電力計を発光支持部に配置する場合には、電力計の計測結果を表す信号を、ケーブル等で表示部３８を制御する表示制御部に入力する。
【００３８】
上記の構成によれば、例えば、電源スイッチ３０を含むケーブル２０の中間部を乗りかごのかご室側に垂らした状態で、検討者が表示部３８を目視することによって、ＬＥＤ実演機１０ｃの発光装置１１での電力消費量を確認することができる。
【００３９】
なお、上記の各例の構成では、天井部に予め２つの円環状蛍光灯５３が配置され、そのうちの１つをＬＥＤ実演機１０に取り換える場合を説明した。一方、天井部に３つ以上、または１つのみの円環状蛍光灯が配置される場合に、１つの円環状蛍光灯の代わりにＬＥＤ実演機を取り付けるようにしてもよい。また、ＬＥＤ実演機において、電源スイッチの近く等に調光スイッチを設けて、調光スイッチの操作により、ＬＥＤ実演機の発光部からの光の色が変化するようにしてもよい。例えば、調光スイッチの操作により、点灯するＬＥＤの発光色が変化するように、複数種類のＬＥＤが発光支持部に配置されてもよい。
【符号の説明】
【００４０】
１０，１０ａ，１０ｂ，１０c  エレベーター乗りかご用ＬＥＤ実演機（ＬＥＤ実演機）、１１  発光装置、１２  発光支持部、１２ａ  切欠、１３  発光モジュール、１４  ＬＥＤ基板、１５  ＬＥＤ素子、１６  カバー、２０，２０ａ  ケーブル、２１  電源プラグ、３０  電源スイッチ、３１  無線受信部、３２  電源スイッチ、３３  スイッチ制御部、３４  受信アンテナ、３５  照度計、３６  判定切り換えスイッチ、３７  点灯制御部、３８  表示部、３９  ケース、４０  ＬＥＤ実演システム、４１  遠隔操作部、４２  操作部、４３  無線送信部、４４  送信アンテナ、５０  乗りかご、５１  天井部、５２  コネクタ、５３  円環状蛍光灯、５４  かご室、５５  照明板、６０  操作者。
【図１】
2018181727.tif 000003
【図２】
2018181727.tif 000004
【図３】
2018181727.tif 000005
【図４Ａ】
2018181727.tif 000006
【図４Ｂ】
2018181727.tif 000007
【図５】
2018181727.tif 000008
【図６】
2018181727.tif 000009
【図７】
2018181727.tif 000010